(57)【要約】【課題】ＤＳＰパラメータの設定に要するユーザの負担を軽減する。【解決手段】データベースサーバ装置１は、実行すべき音場処理又は周波数特性処理を指定する音場処理設定情報を音声コンテンツの識別情報毎に記憶するデータベースを備え、コンテンツ再生装置５が再生しようとする音声コンテンツの識別情報に対応する音場処理設定情報をＡＶアンプ６に送信する。ＡＶアンプ６は、コンテンツ再生装置５から出力された音声コンテンツに対して音場処理又は周波数特性処理を施すＤＳＰ６０と、音場処理設定情報とＤＳＰパラメータとを対応付けて記憶する記憶手段６４と、サーバ装置１から受信した音場処理設定情報に対応するＤＳＰパラメータを記憶手段６４から取得してＤＳＰ６０に設定する制御手段６２とを備える。【選択図】  図１
2006295367.tif 000002
【特許請求の範囲】
【請求項１】
サーバ装置と、このサーバ装置とネットワークを介して接続されたコンテンツ再生装置と、前記サーバ装置とネットワークを介して接続されたアンプ装置とを有するデジタルサラウンドシステムであって、
前記サーバ装置は、実行すべき音場処理又は周波数特性処理を指定する音場処理設定情報を音声コンテンツの識別情報毎に予め記憶するデータベースと、前記コンテンツ再生装置が再生しようとする音声コンテンツの識別情報を前記コンテンツ再生装置から受信する識別情報受信手段と、前記受信した識別情報に対応する音場処理設定情報を前記データベースから取得して前記アンプ装置に送信する音場処理設定情報送信手段とを備え、
前記コンテンツ再生装置は、音声コンテンツを再生する再生手段と、この音声コンテンツの識別情報を前記サーバ装置に送信する識別情報送信手段とを備え、
前記アンプ装置は、前記コンテンツ再生装置から出力された音声コンテンツに対して音場処理又は周波数特性処理を施すデジタルシグナルプロセッサ（ＤＳＰ）と、音場処理設定情報とＤＳＰパラメータとを予め対応付けて記憶する記憶手段と、前記サーバ装置から受信した音場処理設定情報に対応するＤＳＰパラメータを前記記憶手段から取得して前記ＤＳＰに設定するＤＳＰパラメータ設定手段とを備えることを特徴とするデジタルサラウンドシステム。
【請求項２】
請求項１記載のデジタルサラウンドシステムにおいて、
前記サーバ装置のデータベースは、前記音場処理設定情報を音声コンテンツの場面毎に記憶し、
前記アンプ装置のＤＳＰパラメータ設定手段は、前記コンテンツ再生装置によって再生される音声コンテンツの場面に応じた音場処理設定情報に基づいて、ＤＳＰパラメータを前記記憶手段から取得して前記ＤＳＰに設定することを特徴とするデジタルサラウンドシステム。
【請求項３】
請求項１記載のデジタルサラウンドシステムにおいて、
前記サーバ装置のデータベースは、前記音場処理設定情報を音声コンテンツの記録媒体毎に記憶し、
前記アンプ装置のＤＳＰパラメータ設定手段は、前記コンテンツ再生装置によって再生される音声コンテンツの記録媒体に応じた音場処理設定情報に基づいて、ＤＳＰパラメータを前記記憶手段から取得して前記ＤＳＰに設定することを特徴とするデジタルサラウンドシステム。
【請求項４】
請求項１記載のデジタルサラウンドシステムにおいて、
前記サーバ装置のデータベースは、前記音場処理設定情報を音声コンテンツのフォーマット毎に記憶し、
前記アンプ装置のＤＳＰパラメータ設定手段は、前記コンテンツ再生装置によって再生される音声コンテンツのフォーマットに応じた音場処理設定情報に基づいて、ＤＳＰパラメータを前記記憶手段から取得して前記ＤＳＰに設定することを特徴とするデジタルサラウンドシステム。
【請求項５】
請求項１記載のデジタルサラウンドシステムにおいて、
前記サーバ装置のデータベースは、１つの音声コンテンツの識別情報に対して、前記音場処理設定情報とこの音場処理設定情報による音響効果を解説する音響効果ガイド情報とをそれぞれ複数記憶し、
前記サーバ装置の音場処理設定情報送信手段は、前記受信した識別情報に対応する音場処理設定情報と音響効果ガイド情報とを前記データベースから取得して前記アンプ装置に送信し、
前記アンプ装置のＤＳＰパラメータ設定手段は、前記サーバ装置から受信した複数の音響効果ガイド情報を表示装置に表示させ、ユーザが選択した音響効果ガイド情報に対応する音場処理設定情報に基づいて、ＤＳＰパラメータを前記記憶手段から取得して前記ＤＳＰに設定することを特徴とするデジタルサラウンドシステム。
【請求項６】
コンテンツ再生装置から出力された音声コンテンツに対して音場処理又は周波数特性処理を施すデジタルシグナルプロセッサ（ＤＳＰ）を備えたアンプ装置とネットワークを介して接続されたサーバ装置であって、
実行すべき音場処理又は周波数特性処理を指定する音場処理設定情報を音声コンテンツの識別情報毎に予め記憶するデータベースと、
前記コンテンツ再生装置が再生しようとする音声コンテンツの識別情報を前記コンテンツ再生装置から受信する識別情報受信手段と、
前記受信した識別情報に対応する音場処理設定情報を前記データベースから取得して前記アンプ装置に送信し、この音場処理設定情報に対応するＤＳＰパラメータを前記アンプ装置のＤＳＰに設定させる音場処理設定情報送信手段とを備えることを特徴とするサーバ装置。
【請求項７】
実行すべき音場処理又は周波数特性処理を指定する音場処理設定情報を音声コンテンツの識別情報毎に予め記憶しているサーバ装置とネットワークを介して接続されたアンプ装置であって、
コンテンツ再生装置から出力された音声コンテンツに対して音場処理又は周波数特性処理を施すデジタルシグナルプロセッサ（ＤＳＰ）と、
音場処理設定情報とＤＳＰパラメータとを予め対応付けて記憶する記憶手段と、
前記コンテンツ再生装置から出力された音声コンテンツの識別情報に対応して前記サーバ装置から送信された音場処理設定情報を受信し、この音場処理設定情報に対応するＤＳＰパラメータを前記記憶手段から取得して前記ＤＳＰに設定するＤＳＰパラメータ設定手段とを備えることを特徴とするアンプ装置。
【発明の詳細な説明】
【技術分野】
【０００１】
本発明は、音声コンテンツに応じてＤＳＰパラメータを自動的に設定するデジタルサラウンドシステム、サーバ装置およびアンプ装置に関するものである。
【背景技術】
【０００２】
近年、オーディオソースには例えばＶＴＲテープのように２チャンネル音声信号のものやＤＶＤのように５．１チャンネル等のマルチチャンネル音声信号が記録されているものがあり、このようなオーディオソースを再生するデジタルサラウンドシステムが一般家庭でも普及しつつある。このようなデジタルサラウンドシステムでは、ＡＶアンプ等の音響再生装置に搭載されたデジタルシグナルプロセッサ（以下、ＤＳＰとする）を利用して、音声信号に各種の音場処理を施してスピーカから出力するようにしていた（例えば、特許文献１参照）。
【０００３】
【特許文献１】特許第３５８７０８８号公報
【発明の開示】
【発明が解決しようとする課題】
【０００４】
しかしながら、従来の音響再生装置におけるＤＳＰパラメータの設定は、専門的な知識を要するため、音響に親しみのないユーザにとっては、ＤＳＰパラメータをどのように制御すれば、どのような効果があるのかを感覚的に認識することができず、最適な音場処理設定が難しいという問題点があった。
【０００５】
そこで、このような問題を解消するため、特許文献１に開示されたシステムでは、ＤＳＰパラメータの変更に対応する音響特性のイメージ画像をコンピュータを使って作成し、このイメージ画像を表示することで、ＤＳＰパラメータの変更が音響特性に与える効果をユーザが視覚的に認識できるようにしていた。しかし、特許文献１に開示されたシステムでは、再生するコンテンツやコンテンツの場面に応じて音場処理を実行しようとすると、ＤＳＰパラメータをコンテンツ毎あるいは場面毎に変更する必要があり、ユーザにとって非常に煩雑な作業になり、また詳細な設定に時間がかかるという問題点があった。
【０００６】
本発明は、上記課題を解決するためになされたもので、ＤＳＰパラメータの設定に要するユーザの負担を軽減することができるデジタルサラウンドシステム、サーバ装置およびアンプ装置を提供することを目的とする。
【課題を解決するための手段】
【０００７】
本発明は、サーバ装置と、このサーバ装置とネットワークを介して接続されたコンテンツ再生装置と、前記サーバ装置とネットワークを介して接続されたアンプ装置とを有するデジタルサラウンドシステムであって、前記サーバ装置は、実行すべき音場処理又は周波数特性処理を指定する音場処理設定情報を音声コンテンツの識別情報毎に予め記憶するデータベースと、前記コンテンツ再生装置が再生しようとする音声コンテンツの識別情報を前記コンテンツ再生装置から受信する識別情報受信手段と、前記受信した識別情報に対応する音場処理設定情報を前記データベースから取得して前記アンプ装置に送信する音場処理設定情報送信手段とを備え、前記コンテンツ再生装置は、音声コンテンツを再生する再生手段と、この音声コンテンツの識別情報を前記サーバ装置に送信する識別情報送信手段とを備え、前記アンプ装置は、前記コンテンツ再生装置から出力された音声コンテンツに対して音場処理又は周波数特性処理を施すデジタルシグナルプロセッサ（ＤＳＰ）と、音場処理設定情報とＤＳＰパラメータとを予め対応付けて記憶する記憶手段と、前記サーバ装置から受信した音場処理設定情報に対応するＤＳＰパラメータを前記記憶手段から取得して前記ＤＳＰに設定するＤＳＰパラメータ設定手段とを備えるものである。
【０００８】
また、本発明のデジタルサラウンドシステムの１構成例において、前記サーバ装置のデータベースは、前記音場処理設定情報を音声コンテンツの場面毎に記憶し、前記アンプ装置のＤＳＰパラメータ設定手段は、前記コンテンツ再生装置によって再生される音声コンテンツの場面に応じた音場処理設定情報に基づいて、ＤＳＰパラメータを前記記憶手段から取得して前記ＤＳＰに設定するものである。
また、本発明のデジタルサラウンドシステムの１構成例において、前記サーバ装置のデータベースは、前記音場処理設定情報を音声コンテンツの記録媒体毎に記憶し、前記アンプ装置のＤＳＰパラメータ設定手段は、前記コンテンツ再生装置によって再生される音声コンテンツの記録媒体に応じた音場処理設定情報に基づいて、ＤＳＰパラメータを前記記憶手段から取得して前記ＤＳＰに設定するものである。
また、本発明のデジタルサラウンドシステムの１構成例において、前記サーバ装置のデータベースは、前記音場処理設定情報を音声コンテンツのフォーマット毎に記憶し、前記アンプ装置のＤＳＰパラメータ設定手段は、前記コンテンツ再生装置によって再生される音声コンテンツのフォーマットに応じた音場処理設定情報に基づいて、ＤＳＰパラメータを前記記憶手段から取得して前記ＤＳＰに設定するものである。
また、本発明のデジタルサラウンドシステムの１構成例において、前記サーバ装置のデータベースは、１つの音声コンテンツの識別情報に対して、前記音場処理設定情報とこの音場処理設定情報による音響効果を解説する音響効果ガイド情報とをそれぞれ複数記憶し、前記サーバ装置の音場処理設定情報送信手段は、前記受信した識別情報に対応する音場処理設定情報と音響効果ガイド情報とを前記データベースから取得して前記アンプ装置に送信し、前記アンプ装置のＤＳＰパラメータ設定手段は、前記サーバ装置から受信した複数の音響効果ガイド情報を表示装置に表示させ、ユーザが選択した音響効果ガイド情報に対応する音場処理設定情報に基づいて、ＤＳＰパラメータを前記記憶手段から取得して前記ＤＳＰに設定するものである。
【０００９】
また、本発明は、コンテンツ再生装置から出力された音声コンテンツに対して音場処理又は周波数特性処理を施すデジタルシグナルプロセッサ（ＤＳＰ）を備えたアンプ装置とネットワークを介して接続されたサーバ装置であって、実行すべき音場処理又は周波数特性処理を指定する音場処理設定情報を音声コンテンツの識別情報毎に予め記憶するデータベースと、前記コンテンツ再生装置が再生しようとする音声コンテンツの識別情報を前記コンテンツ再生装置から受信する識別情報受信手段と、前記受信した識別情報に対応する音場処理設定情報を前記データベースから取得して前記アンプ装置に送信し、この音場処理設定情報に対応するＤＳＰパラメータを前記アンプ装置のＤＳＰに設定させる音場処理設定情報送信手段とを備えるものである。
また、本発明は、実行すべき音場処理又は周波数特性処理を指定する音場処理設定情報を音声コンテンツの識別情報毎に予め記憶しているサーバ装置とネットワークを介して接続されたアンプ装置であって、コンテンツ再生装置から出力された音声コンテンツに対して音場処理又は周波数特性処理を施すデジタルシグナルプロセッサ（ＤＳＰ）と、音場処理設定情報とＤＳＰパラメータとを予め対応付けて記憶する記憶手段と、前記コンテンツ再生装置から出力された音声コンテンツの識別情報に対応して前記サーバ装置から送信された音場処理設定情報を受信し、この音場処理設定情報に対応するＤＳＰパラメータを前記記憶手段から取得して前記ＤＳＰに設定するＤＳＰパラメータ設定手段とを備えるものである。
【発明の効果】
【００１０】
本発明によれば、ユーザがコンテンツ再生装置により再生しようとする音声コンテンツに応じた音場処理設定情報をサーバ装置からユーザのアンプ装置に送信し、この音場処理設定情報に応じてアンプ装置のＤＳＰのＤＳＰパラメータを設定するようにしたので、コンテンツ毎のＤＳＰパラメータの設定を容易に行うことができ、ＤＳＰパラメータの設定に要するユーザの負担を大幅に軽減することができる。
【００１１】
また、本発明では、音場処理設定情報を音声コンテンツの場面毎にサーバ装置のデータベースに登録しておくことにより、コンテンツの場面に適したＤＳＰパラメータを容易に設定することができる。
【００１２】
また、本発明では、音場処理設定情報を音声コンテンツの記録媒体毎にサーバ装置のデータベースに登録しておくことにより、記録媒体に適したＤＳＰパラメータを容易に設定することができる。
【００１３】
また、本発明では、音場処理設定情報を音声コンテンツのフォーマット毎にサーバ装置のデータベースに登録しておくことにより、音声フォーマットに適したＤＳＰパラメータを容易に設定することができる。
【００１４】
また、本発明では、１つの音声コンテンツの識別情報に対して、音場処理設定情報とこの音場処理設定情報による音響効果を解説する音響効果ガイド情報とをサーバ装置のデータベースにそれぞれ複数登録しておくことにより、ユーザの好みに応じた手動設定が可能となる。
【発明を実施するための最良の形態】
【００１５】
［第１の実施の形態］
以下、本発明の実施の形態について図面を参照して説明する。図１は、本発明の第１の実施の形態となるデジタルサラウンドシステムの構成を示すブロック図である。本実施の形態のデジタルサラウンドシステムは、データベースサーバ装置１と、ユーザ宅２内に設置され、インターネット等のネットワーク３を介してデータベースサーバ装置１と接続されるインターネット接続端末装置４と、コンテンツ再生装置５と、ＡＶアンプ６と、スピーカ７とから構成される。
【００１６】
図２に、データベースサーバ装置１の１構成例を示す。データベースサーバ装置１は、ネットワーク３との接続／切断処理及び通信処理を行うインタフェース手段１０と、実行すべき音場処理又は周波数特性処理をＡＶアンプ６のＤＳＰに対して指定する音場処理設定情報を音声コンテンツの識別情報毎に予め記憶しているデータベース１１と、サーバ装置全体を制御する制御手段１２とを有する。音場処理設定情報は、音場処理を熟知した設計者によって音声コンテンツ毎に予め決定されたＤＳＰパラメータを指定するものである。インタフェース手段１０と制御手段１２とは、コンテンツ再生装置５から音声コンテンツの識別情報を受信する識別情報受信手段と、音場処理設定情報をＡＶアンプ６に送信する音場処理設定情報送信手段とを構成している。
【００１７】
図３に、インターネット接続端末装置４の１構成例を示す。インターネット接続端末装置４は、ネットワーク３との接続／切断処理及び通信処理を行うインタフェース手段４０と、コンテンツ再生装置５との接続／切断処理及び通信処理を行うインタフェース手段４１と、ＡＶアンプ６との接続／切断処理及び通信処理を行うインタフェース手段４２と、端末装置全体を制御する制御手段４２とを有する。
【００１８】
コンテンツ再生装置５は、ＣＤプレーヤやＤＶＤプレーヤ、ＶＴＲ等のメディア再生装置５０と、衛星放送や地上波放送等を受信する放送受信装置５１とを有する。メディア再生装置５０と放送受信装置５１とは両方揃っている必要はなく、どちらか一方でもよい。
ＡＶアンプ６は、コンテンツ再生装置５から出力されたコンテンツの音声データに対して音場処理又は周波数特性処理を施すＤＳＰ６０と、ＤＳＰ６０から出力された音声信号を増幅するアンプ６１と、ＤＳＰパラメータ設定手段となる制御手段６２と、音場処理設定情報とＤＳＰパラメータとを予め対応付けて記憶している記憶手段６３と、表示装置６４と、操作装置６５とを有する。ユーザ宅２内の各構成は、１つの機器内に収められていてもよいし、それぞれ別の機器として存在してもよい。
【００１９】
以下、本実施の形態のデジタルサラウンドシステムの動作を詳細に説明する。図４は、デジタルサラウンドシステムの動作を示すフローチャートである。
まず、コンテンツ再生装置５のメディア再生装置５０又は放送受信装置５１は、ユーザの操作に応じて音声コンテンツの再生を開始する。このとき、メディア再生装置５０又は放送受信装置５１は、音声コンテンツの再生に先立って、この音声コンテンツの識別情報をインターネット接続端末装置４を介してデータベースサーバ装置１に送信する識別情報送信手段を備えている。
【００２０】
音声コンテンツがＣＤやＤＶＤに記録されたものである場合は、ＣＤ、ＤＶＤに記録されているＩＳＲＣ（International Standard Recording Code ）／カタログコードや、ＣＤＤＢ（CD Database ）で利用されているＴＯＣ（Table of Contents ）情報などを音声コンテンツの識別情報として用いることができる。また、音声コンテンツがビデオテープに記録されたものである場合は、ユーザが入力したコンテンツのタイトルを識別情報として用いることができる。また、音声コンテンツが放送受信装置５１で受信されたものである場合は、電子番組ガイド（ＥＰＧ）ｊ情報を識別情報として用いることができ、ユーザによって入力されたＶＴＲ録画用のＧコードを識別情報として用いることもできる。
【００２１】
データベースサーバ装置１とインターネット接続端末装置４とは、それぞれのインタフェース手段１０，４０によりネットワーク３を介して予め接続されている。インターネット接続端末装置４の制御手段４３は、コンテンツ再生装置５からインタフェース手段４１を介して音声コンテンツの識別情報を受信すると、この識別情報をインタフェース手段４０を介してデータベースサーバ装置１に送信する（図４ステップＳ１）。
【００２２】
データベースサーバ装置１の制御手段１２は、ネットワーク３及びインタフェース手段１０を介して識別情報を受信すると、データベース１１を検索して、識別情報に対応する音場処理設定情報をデータベース１１から取得する（ステップＳ２）。そして、制御手段１２は、取得した音場処理設定情報をインタフェース手段１０を介してインターネット接続端末装置４に送信する（ステップＳ３）。
【００２３】
図５は、データベース１１に予め登録された情報の１例を示す図である。データベース１１には、音声コンテンツの識別情報１００と、音声コンテンツのタイトル１０１と、音場処理設定情報である音場ＩＤ１０２とが対応付けられて音声コンテンツ毎に登録されている。データベースサーバ装置１の制御手段１２は、インターネット接続端末装置４から受信した識別情報と一致する識別情報１００が登録されているデータベース１１のレコードを検索して、検索したレコードの音場ＩＤ１０２を音場処理設定情報としてインターネット接続端末装置４に送信する。
【００２４】
インターネット接続端末装置４の制御手段４３は、データベースサーバ装置１から送信された音場処理設定情報をインタフェース手段４０を介して受信すると、この音場処理設定情報をインタフェース手段４２を介してＡＶアンプ６に転送する（ステップＳ４）。
ＡＶアンプ６の制御手段６２は、インターネット接続端末装置４から受信した音場処理設定情報を記憶手段６３に格納し、この音場処理設定情報に従って、ＤＳＰ６０の音場処理設定、すなわちＤＳＰパラメータの設定を行う（ステップＳ５）。記憶手段６３には、音場処理設定情報（音場ＩＤ）とＤＳＰパラメータとが予め対応付けられて登録されている。制御手段６２は、インターネット接続端末装置４から受信した音場処理設定情報に対応するＤＳＰパラメータを記憶手段６３から取得して、このＤＳＰパラメータをＤＳＰ６０に設定する。
【００２５】
そして、ＤＳＰ６０は、コンテンツ再生装置５から出力されたコンテンツの音声データに対して、設定されたＤＳＰパラメータに従って音場処理又は周波数特性処理を施す（ステップＳ６）。音場処理としては、例えばコンサートホールの音場を再現する音場処理、教会の音場を再現する音場処理、ライブハウスの音場を再現する音場処理など様々なものがあり、また周波数特性処理としては、例えば中高域周波数成分を補正する処理がある。音場処理と周波数特性処理はどちらか一方だけでもよいし、両方を組み合わせてもよいことは言うまでもない。
【００２６】
音場処理された音声データは、ＤＳＰ６０によってアナログ音声信号に変換され、アンプ６１で増幅され、スピーカ７から出力される。こうして、コンテンツが再生される（ステップＳ７）。以上のようなステップＳ１〜Ｓ７の処理は、コンテンツ毎に行われる。
【００２７】
本実施の形態では、ユーザが再生しようとするコンテンツに対応する音場処理設定情報をデータベースサーバ装置１からユーザ宅２に送信し、この音場処理設定情報に応じてＡＶアンプ６のＤＳＰ６０のＤＳＰパラメータを設定するようにしたので、コンテンツ毎のＤＳＰパラメータの設定を容易に行うことができ、ＤＳＰパラメータの設定に要するユーザの負担を大幅に軽減することができる。
【００２８】
なお、図１の例では、スピーカ７を２つだけ記載しているが、実際にはメインスピーカやリアスピーカ、サブウーハなどの多数のスピーカが設置され、ＤＳＰ６０もマルチチャンネルの音声データに対して音場処理又は周波数特性処理を施し、アンプ６１もスピーカ毎に設けられていることが多い。
また、ＡＶアンプ６の記憶手段６３に登録されたＤＳＰパラメータは、音場処理設定情報が同一であっても、ユーザ毎に異なる。その理由は、ユーザ宅２の部屋の状況や、スピーカ７の台数及び配置等がユーザ毎に異なるからである。一般に、デジタルサラウンドシステムでは、ユーザが最初にＡＶアンプ６とスピーカ７を室内に配置したときに、ＡＶアンプ６のセットアップが行われるようになっており、このセットアップによってＤＳＰパラメータが決定される。これにより、ユーザ個々の状況に応じたＤＳＰパラメータが記憶手段６３に登録されている。
【００２９】
［第２の実施の形態］
第１の実施の形態では、コンテンツ毎にＤＳＰパラメータを設定するようにしていたが、コンテンツの場面毎にＤＳＰパラメータを設定するようにしてもよいし、メディア毎にＤＳＰパラメータを設定するようにしてもよいし、音声フォーマット毎にＤＳＰパラメータを設定するようにしてもよい。
【００３０】
本実施の形態においても、デジタルサラウンドシステムの構成は第１の実施の形態と同様であるので、図１〜図３の符号を用いて説明する。図６にデータベース１１に予め登録された情報の他の例を示す。本実施の形態のデータベース１１には、音声コンテンツの識別情報２００と、音声コンテンツのタイトル２０１と、メディア情報２０２と、音声フォーマット情報２０３と、開始時音場ＩＤ２０４と、場面＃２タイムスタンプ情報２０５と、場面＃２音場ＩＤ２０６と、場面＃ｎタイムスタンプ情報２０７と、場面＃ｎ音場ＩＤ２０８とが対応付けられて、音声コンテンツ毎、メディア毎及び音声フォーマット毎に登録されている。図６の例では、２０４〜２０８が音場処理設定情報となる。
【００３１】
第１の実施の形態と同様に、コンテンツの識別情報に応じた音場処理設定情報がデータベースサーバ装置１からインターネット接続端末装置４を介してＡＶアンプ６に送られると、この音場処理設定情報が記憶手段６３に格納される。そして、制御手段６２は、コンテンツの再生開始時は、開始時音場ＩＤ２０４に対応するＤＳＰパラメータを記憶手段６３から取得してＤＳＰ６０に設定する。このとき、コンテンツを再生するコンテンツ再生装置５からは再生中の場面を表すタイムスタンプ情報がＡＶアンプ６に送られる。
【００３２】
制御手段６２は、コンテンツ再生装置５から受信したタイムスタンプ情報に基づいて、コンテンツの場面を検知し、場面に応じたＤＳＰパラメータ設定を行う。例えば、受信したタイムスタンプ情報が示している時間が、場面＃２タイムスタンプ情報２０５の時間（図６の例では２０分１５秒）と一致した場合、制御手段６２は、コンテンツの場面＃２に達したと判断して、場面＃２音場ＩＤ２０６に対応するＤＳＰパラメータを記憶手段６３から取得してＤＳＰ６０に設定する。
こうして、本実施の形態では、コンテンツの場面毎にＤＳＰパラメータを設定することができる。
【００３３】
また、同一のコンテンツであっても、ＤＶＤとビデオテープでは収録音声チャンネル数が異なる場合がある。そこで、本実施の形態では、データベース１１にメディア情報２０２を格納することにより、メディア毎に音場処理設定情報を登録できるようにしている。
また、例えばＤＶＤの場合、同一のディスク内にドルビー（登録商標）デジタルやＤＴＳ（登録商標）（Digital Theater Systems ）などの複数の音声フォーマットでエンコードされた音声データが記録されていることが多い。そこで、本実施の形態では、データベース１１に音声フォーマット情報２０３を格納することにより、音声フォーマット毎に音場処理設定情報を登録できるようにしている。
【００３４】
なお、本実施の形態では、同一のコンテンツであっても、メディアや音声フォーマットが異なる場合には、別の識別情報を付与するようにしているが、これに限るものではなく、同一のコンテンツには同一の識別情報を付与するようにしてもよい。この場合には、コンテンツの識別情報の他に、再生メディア情報をコンテンツ再生装置５からインターネット接続端末装置４を介してデータベースサーバ装置１に送ることにより、データベースサーバ装置１からコンテンツの識別情報及び再生メディア情報に対応した音場処理設定情報を送るようにすればよい。同様に、コンテンツ再生装置５からデータベースサーバ装置１に音声フォーマット情報を送ることにより、データベースサーバ装置１からコンテンツの識別情報及び音声フォーマット情報に対応した音場処理設定情報を送るようにすればよい。
【００３５】
［第３の実施の形態］
第１、第２の実施の形態では、ＤＳＰパラメータを自動設定していたが、予め登録された範囲内でユーザが手動設定できるようにしてもよい。本実施の形態においても、デジタルサラウンドシステムの構成は第１の実施の形態と同様であるので、図１〜図３の符号を用いて説明する。図７にデータベース１１に予め登録された情報の他の例を示す。本実施の形態のデータベース１１には、音声コンテンツの識別情報３００と、音声コンテンツのタイトル３０１と、最適音場ＩＤ３０２と、音響効果＃１ガイド情報３０３と、音響効果＃１音場ＩＤ３０４と、音響効果＃２ガイド情報３０５と、音響効果＃２音場ＩＤ３０６とが対応付けられて音声コンテンツ毎に登録されている。図７の例では、３０２〜３０６が音場処理設定情報となる。
【００３６】
ＡＶアンプ６の制御手段６２は、コンテンツの再生開始時は、最適音場ＩＤ３０２に対応するＤＳＰパラメータを記憶手段６３から取得してＤＳＰ６０に設定する。そして、制御手段６２は、インターネット接続端末装置４から受信した音場処理設定情報に含まれる音響効果＃１ガイド情報３０３と音響効果＃２ガイド情報３０５とを表示装置６４に表示させる。これにより、表示装置６４に「残響音を強くする」という音響効果＃１ガイド情報３０３と「残響音を弱くする」という音響効果＃２ガイド情報３０５とが表示される。
【００３７】
ここで、ユーザが操作装置６５を操作して、「残響音を強くする」という音響効果＃１ガイド情報３０３を選択すると、制御手段６２は、音響効果＃１音場ＩＤ３０４に対応するＤＳＰパラメータを記憶手段６３から取得してＤＳＰ６０に設定する。これにより、最適音場ＩＤ３０２に対応するＤＳＰパラメータの場合よりも、残響音が強い音場処理が行われる。このように、設計者が考える最適なＤＳＰパラメータの他にも、ＤＳＰパラメータを用意しておくことにより、ユーザの好みに応じた手動設定が可能となる。
【００３８】
また、ユーザが選択した音場処理設定情報を制御手段６２からインターネット接続端末装置４を介してデータベースサーバ装置１に返すことにより、データベースサーバ装置１の制御手段１２により、ユーザによるＤＳＰパラメータ（音場処理設定情報）の人気ランキング表を作成することができる。そして、このＤＳＰパラメータのランキング表をデータベースサーバ装置１からインターネット接続端末装置４に送ることで、ＡＶアンプ６の表示装置に人気ランキング表を表示させ、この人気ランキング表の中からユーザに音場処理設定を選択させることもできる。
【００３９】
第１〜第３の実施の形態で説明したようなデータベースサーバ装置１は、ＣＰＵとメモリとインタフェースとを備えたコンピュータ、及びこれらのハードウェア資源を制御するプログラムによって実現することができる。ＣＰＵは、メモリに格納されたプログラムに従って前述のような処理を実行する。同様に、インターネット接続端末装置４と、ＡＶアンプ６内の制御手段６２と記憶手段６３もコンピュータとプログラムによって実現することができる。
【産業上の利用可能性】
【００４０】
本発明は、デジタルサラウンドシステムに適用することができる。
【図面の簡単な説明】
【００４１】
【図１】本発明の第１の実施の形態となるデジタルサラウンドシステムの構成を示すブロック図である。
【図２】図１のデジタルサラウンドシステムにおけるデータベースサーバ装置の１構成例を示すブロック図である。
【図３】図１のデジタルサラウンドシステムにおけるインターネット接続端末装置の１構成例を示すブロック図である。
【図４】図１のデジタルサラウンドシステムの動作を示すフローチャートである。
【図５】図２のデータベースサーバ装置のデータベースに予め登録された情報の１例を示す図である。
【図６】本発明の第２の実施の形態におけるデータベースサーバ装置のデータベースに予め登録された情報の１例を示す図である。
【図７】本発明の第３の実施の形態におけるデータベースサーバ装置のデータベースに予め登録された情報の１例を示す図である。
【符号の説明】
【００４２】
１…データベースサーバ装置、２…ユーザ宅、３…ネットワーク、４…インターネット接続端末装置、５…コンテンツ再生装置、６…ＡＶアンプ、７…スピーカ。
【図１】
2006295367.tif 000003
【図２】
2006295367.tif 000004
【図３】
2006295367.tif 000005
【図４】
2006295367.tif 000006
【図５】
2006295367.tif 000007
【図６】
2006295367.tif 000008
【図７】
2006295367.tif 000009